(57)【特許請求の範囲】
【請求項１】
換気ファンが設置された建物の屋内湿度を調節するための湿度管理システムであって、
前記換気ファンは、前記建物の外に検知部が設置された雨センサーと電気的に接続されており、
前記建物の外で雨が降り始めたことを前記検知部が検知した後、前記換気ファンの運転が停止され、前記建物の外で雨が降り止んだことを前記検知部が検知した後、所定時間経過後に前記換気ファンの運転が開始されることを特徴とする湿度管理システム。
【請求項２】
前記換気ファンと前記雨センサーは、前記換気ファンの運転の停止及び開始を制御する制御部を介して電気的に接続されていることを特徴とする請求項１に記載の湿度管理システム。
【請求項３】
前記制御部は、前記建物の外に検知部が設置された湿度センサーと電気的に接続されていることを特徴とする請求項２に記載に記載の湿度管理システム。
【請求項４】
前記所定時間は、１０分〜６時間であることを特徴とする請求項１〜３のいずれか１項に記載の湿度管理システム。
【請求項５】
前記建物は、密閉性を備えた構造を有する建物であることを特徴とする請求項１〜４のいずれか１項に記載の湿度管理システム。
【請求項６】
前記建物は、鉄筋コンクリート製であることを特徴とする請求項１〜５のいずれか１項に記載の湿度管理システム。
【請求項７】
前記換気ファンは、前記建物の外から中へ外気を吸入するタイプのファンであることを特徴とする請求項１〜６のいずれか１項に記載の湿度管理システム。
【発明の詳細な説明】
【技術分野】
【０００１】
本発明は、建物の屋内湿度を調節するための湿度管理システムに関するものである。
【背景技術】
【０００２】
建物、例えば、製造した製品を保管しておく倉庫において、屋内湿度が高い状態が続くと、製品にカビが発生する。そのため、ファンで常時換気することが行われている。
【０００３】
一般住宅においても、湿度が高いと、結露によるカビ、ダニの発生が問題となる。そこで、特許文献１では、屋内に滞留する湿度を排出するため、自動開閉を調整する機能をもたせた換気窓を設けることが提案されている。特許文献１には、屋外に雨センサーを設置し、雨センサーによる雨天情報による換気窓の開閉制御の設定も可能であることが記載されている。
【先行技術文献】
【特許文献】
【０００４】
【特許文献１】特開２００４−１１２８１号公報（段落〔００３３〕）
【発明の概要】
【発明が解決しようとする課題】
【０００５】
しかし、ファンで常時換気していると、降雨時に外気の湿度上昇とともに、倉庫内の湿度も上昇してしまい、カビ発生のリスクが高まるという問題がある。
【０００６】
また、特許文献１に記載の換気窓の開閉制御は、屋内に滞留する湿度を排出するためのものであるため、降雨時に外気の湿度が上昇した際には、窓を開けても湿度を排出できない。また、雨センサーによる雨天情報による換気窓の開閉制御の設定についての具体的な開示が無く、制御方法が不明である。
【０００７】
従って、本発明の目的は、換気ファンが設置された建物内の湿度が降雨時に上昇することを抑制することが可能な湿度管理システムを提供することである。
【課題を解決するための手段】
【０００８】
本発明は、上記目的を達成するために、下記の湿度管理システムを提供する。
［１］換気ファンが設置された建物の屋内湿度を調節するための湿度管理システムであって、前記換気ファンは、前記建物の外に検知部が設置された雨センサーと電気的に接続されており、前記建物の外で雨が降り始めたことを前記検知部が検知した後、前記換気ファンの運転が停止され、前記建物の外で雨が降り止んだことを前記検知部が検知した後、所定時間経過後に前記換気ファンの運転が開始されることを特徴とする湿度管理システム。
［２］前記換気ファンと前記雨センサーは、前記換気ファンの運転の停止及び開始を制御する制御部を介して電気的に接続されていることを特徴とする前記［１］に記載の湿度管理システム。
［３］前記制御部は、前記建物の外に検知部が設置された湿度センサーと電気的に接続されていることを特徴とする前記［２］に記載に記載の湿度管理システム。
［４］前記所定時間は、１０分〜６時間であることを特徴とする前記［１］〜［３］のいずれか１つに記載の湿度管理システム。
［５］前記建物は、密閉性を備えた構造を有する建物であることを特徴とする前記［１］〜［４］のいずれか１つに記載の湿度管理システム。
［６］前記建物は、鉄筋コンクリート製であることを特徴とする前記［１］〜［５］のいずれか１つに記載の湿度管理システム。
［７］前記換気ファンは、前記建物の外から中へ外気を吸入するタイプのファンであることを特徴とする前記［１］〜［６］のいずれか１つに記載の湿度管理システム。
【発明の効果】
【０００９】
本発明によると、換気ファンが設置された建物内の湿度が降雨時に上昇することを抑制することが可能な湿度管理システムを提供することができる。
【図面の簡単な説明】
【００１０】
【図１】鉄筋コンクリート製倉庫における換気ファンの有無による倉庫内湿度と外気湿度の関係を示すグラフである。
【図２】本発明の実施の形態に係る湿度管理システムを実施した場合の倉庫内湿度と外気湿度の関係を示すグラフである。
【発明を実施するための形態】
【００１１】
本発明の実施の形態に係る湿度管理システムは、換気ファンが設置された建物の屋内湿度を調節するための湿度管理システムであって、前記換気ファンは、前記建物の外に検知部が設置された雨センサーと電気的に接続されており、前記建物の外で雨が降り始めたことを前記検知部が検知した後、前記換気ファンの運転が停止され、前記建物の外で雨が降り止んだことを前記検知部が検知した後、前記換気ファンの運転が開始されることを特徴とする。以下、当該湿度管理システムを詳細に説明する。
【００１２】
本発明の実施の形態において、建物とは、特に限定されるものではないが、高湿度環境下でカビ等の発生が問題となる製造品を保管するための倉庫、サイロ、タンク等が好適な適用例として挙げられる。
【００１３】
製造品としては、特に限定されるものではないが、例えば、飼料や食品（特に紙袋等の水分透過性の高い包装袋で包装された飼料や食品）が挙げられる。製造品には、完成品のみならず、中間製品、加熱処理済み材料等も含まれる。飼料としては、例えば、油糧種子から得られた油粕が挙げられる。
【００１４】
建物は、密閉性を備えた構造を有する建物であることが好ましく、密閉性が高いほど、本発明により得られる効果が高い。ここで、密閉性が高いとは、換気ファン等の換気機構が無い或いは運転停止中に、屋内湿度が建物の外の湿度に連動して上下しにくい（影響を受けにくい）ことを言う。
【００１５】
密閉性を備えた構造を有する建物としては、例えば、鉄筋コンクリート製の建物がある。
【００１６】
本発明の実施の形態における建物には、換気ファンが設置されている。設置位置は特に限定されるものではないが、例えば、建物の天井や壁に設置される。天井又は壁の上方に設置されることが好ましい。換気ファンの設置数は、１つ以上であれば本願発明の効果は得られるが、建物の広さや密閉性の度合いによって適宜、最適数を設定することができる。
【００１７】
換気ファンは、建物の外で雨が降り始め、雨センサーの検知部が雨を検知して換気ファンの運転が停止され、その後、運転が再開されるまでの間以外の時間は、原則として運転状態（ＯＮ）にあることが好ましい。
【００１８】
換気ファンは、建物の外から中へ外気を吸入する（取り込む）タイプのファンであることが好ましいが、建物の中から外へ屋内の空気を排出するタイプのファンであってもよい。換気ファンから、屋内へ虫等を吸い込まないようにファンの吸気部には防虫網（例えば１６メッシュ）が取りつけられていることが好ましい。
【００１９】
換気ファンは、建物の外に検知部が設置された雨センサーと電気的に接続されている。ここで、電気的に接続とは、換気ファンの運転を直接的に又は制御部を介して停止／再開（ＯＦＦ／ＯＮ）させることが可能なように接続されていることを意味する。
【００２０】
雨センサーは、雨を検知する検知部が建物の外に設置されてさえいれば、その他の部位は、建物の外に設置されていても屋内に設置されていても構わない。
【００２１】
換気ファンは、建物の外で雨が降り始めたことを雨センサーの検知部が検知した後、その運転が停止され、建物の外で雨が降り止んだことを雨センサーの検知部が検知した後、その運転が開始される。
【００２２】
雨が降り止んだ後に換気ファンの運転が開始されるタイミングとしては、雨が降り止んだ直後に換気ファンの運転が開始されることが、湿度管理システムの構成が簡素化される点では好ましい。
【００２３】
一方、屋内が高湿度にならないように管理する観点からは、雨が降り止んだ直後ではなく、所定条件を満たした後（例えば外気の湿度が所定湿度以下となった後）又は所定時間経過後に換気ファンの運転が開始されることが好ましい。
【００２４】
具体的には、建物の外で雨が降り止んだことを雨センサーの検知部が検知した後、建物の外に検知部が設置された湿度センサーにより建物の外の相対湿度が６５％以下に下がったことが検知された後に換気ファンの運転を開始させることが好ましく、建物の外の相対湿度が６０％以下に下がったことが検知された後に換気ファンの運転を開始させることがより好ましい。
【００２５】
また、建物の外で雨が降り止んだ後、１０分〜６時間経過後に換気ファンの運転が開始されるようにしてもよい。より好ましくは、雨が降り止んだ後、３０分〜５．５時間経過後に換気ファンの運転が開始されるようにする。
【００２６】
また、雨が降らなくても、湿った風が吹き出す等により外気の湿度が急に上昇することがあるため、降雨が検知されなくても、建物の外の相対湿度が６５％以上に上がったことを湿度センサーの検知部が検知した後に換気ファンの運転が停止されるように制御することが好ましく、相対湿度が７０％以上に上がったことを湿度センサーの検知部が検知した後に換気ファンの運転が停止されるようにすることがより好ましい。運転停止後、相対湿度が上記基準以下に下がった後に再度換気ファンの運転が開始されるように制御することが好ましい。
【００２７】
雨センサーとしては、雨を検知できるものであれば使用でき、市販のものを使用できる。特に、雨が降り止んだことを素早く検知するために、ヒータで検知部を乾燥できるものが好ましい。ＯＮ／ＯＦＦのスイッチとして機能するオープンコレクタ出力形式の雨センサーを用いれば、降雨の有無による換気ファンの停止／再開の切り替えが可能である。市販のものとしては、例えば、ヒータ付雨センサー（水分検知センサー）（アスザック(株)製、商品名：ＡＫＩ−１８０５）を使用できる。
【００２８】
湿度センサーとしては、相対湿度を測定できるものであれば使用でき、市販の温・湿度計等を使用できる。市販のものとしては、例えば、温湿度変換器（（株）佐藤計量器製作所製、商品名：ＳＫ−ＲＨＣ−Ｉ）を使用できる。なお、湿度センサーは、検知する検知部が外気に触れるように建物の外に設置されるが、雨等で濡れないことが好ましい。湿度センサーのその他の部位は、建物の外に設置されていても屋内に設置されていても構わない。
【００２９】
雨センサーや換気ファンにＯＮ／ＯＦＦをスイッチないし制御する機能が内蔵され、雨が降り止んだ直後に換気ファンの運転を開始させる場合は、換気ファンの運転を開始させるための制御部を別途、設ける必要は特に無いが、雨センサーや換気ファンに当該機能がない場合や、所定条件を満たした後又は所定時間経過後に換気ファンの運転を開始させる場合には、これを制御するための制御部を設ける必要がある。制御部は、雨センサーと一体化されていても別体として設けられてもよい。この場合、制御部を介して換気ファンと雨センサーが電気的に接続していることが好ましく、特に湿度センサーを組み合わせて用いる場合は、さらに湿度センサーが制御部に接続していることが好ましい。制御部は、上記制御が可能であればその構成は特に限定されない。例えば、パーソナルコンピュータを用いることができる。
【００３０】
換気ファンと雨センサーは、換気ファンの運転の停止及び開始を制御する制御部を介して電気的に接続されていることが種々の制御が可能となる点で望ましい。湿度センサーを設置する場合には、制御部は、湿度センサーとも電気的に接続される。
【００３１】
本発明を以下の実施例によりさらに詳細に説明するが、本発明はそれらに限定されるものではない。
【実施例】
【００３２】
（実態調査）
日清オイリオグループ株式会社の水島工場敷地内にある鉄筋コンクリート製倉庫（紙包装ミール製品等の保管に使用）の屋内湿度と、倉庫の外の外気湿度とを温湿度記録計（（株）佐藤計量器製作所製、商品名：ＳＫ−Ｌ２００ＴＨIIα）でモニタリングした結果を図１に示す。屋内湿度のモニタリングは、換気ファンが設置された倉庫と換気ファンが設置されていない倉庫のそれぞれについて行なった。換気ファンは、建物の外から中へ外気を吸入するタイプのファンが倉庫の天井に１つ設置されている。
【００３３】
図１は、鉄筋コンクリート製倉庫における換気ファンの有無による倉庫内湿度と外気湿度の関係を示すグラフである。
【００３４】
図１より分かるように、換気ファンが設置されていない倉庫では、外気湿度の変化の影響を受けにくく、外気湿度の上下に連動して倉庫内湿度が上下していない。しかし、湿度が高めの状態が維持されてしまっている。一方、換気ファンが設置された倉庫では、換気ファン運転後、外気湿度の変化の影響により倉庫内の湿度を下げることができたが、降雨時には、外気湿度の上昇とともに、高湿度となってしまっている（すなわち、カビ発生のリスクが高まっている）ことが確認された。
【００３５】
（実施例）
上記実態調査と同様のモニタリングを行なった。但し、換気ファンには、雨センサー（アスザック(株)製、商品名：ＡＫＩ−１８０５）を接続し、雨が降り始めると換気ファンの運転を停止させ、雨が降り止んだら換気ファンの運転を開始させるようにした。
【００３６】
図２は、本発明の実施の形態に係る湿度管理システムを実施した場合の倉庫内湿度と外気湿度の関係を示すグラフである。換気ファンが設置されていない倉庫のグラフは参考である。
【００３７】
図２より分かるように、降雨時に換気ファンの運転を停止させたことにより、降雨時には、外気湿度の上昇とともに、倉庫内が高湿度となることを防ぐことができた。しかし、雨が降り止んだ直後に換気ファンの運転を開始させると、外気湿度がまだ高いため、これに連動して、倉庫内湿度が一時期、上昇してしまうことが確認できた。これより、雨が降り止んだ直後ではなく、外気湿度が下がった後に換気ファンの運転を開始させると良いであろうことが分かった。
【００３８】
そこで、換気ファンの制御回路に温湿度変換器（(株)佐藤計量器製作所製、商品名：ＳＫ−ＲＨＣ−Ｉ）を組み込み、雨が降り止んだ直後ではなく、外気の相対湿度が６０％に下がった後（雨が降り止んだ後、約１．５時間経過後）に換気ファンの運転を開始させるようにしてモニタリングを行なったところ、図２に見られるような換気ファン再運転後の湿度上昇は見られなかった。
【００３９】
以上、本発明の実施の形態及び実施例を説明したが、本発明は、上記実施の形態及び実施例に限定されず、発明の主旨を逸脱しない範囲内において種々変形実施が可能である。
【図１】
0006383698.tif 000002
【図２】
0006383698.tif 000003